(57)【要約】【課題】  下着等への装着性を向上させ、また物品本体がスムーズにカバーシートから剥離することができる吸収性物品を提供する。【解決手段】  少なくとも、透液性を有するトップシートと、不透液性を有するバックシートと、前記シート間に介在する吸収体とにより物品本体が形成され、該物品本体の幅方向両外側に一対のウィングを備えた吸収性物品において、該一対のウィングのそれぞれを背折りした後、前記物品本体の幅方向外側に折り返すことによって、前記物品本体の幅方向断面視で略Ｚ字状に形成する。【選択図】  図２
2005095379.tif 000002
【特許請求の範囲】
【請求項１】
少なくとも、透液性を有するトップシートと、不透液性を有するバックシートと、前記シート間に介在する吸収体とにより物品本体が形成され、該物品本体の幅方向両外側に一対のウィングを備えた吸収性物品において、該一対のウィングのそれぞれを背折りした後、前記物品本体の幅方向外側に折り返すことによって、前記物品本体の幅方向断面視で略Ｚ字状に形成したことを特徴とする吸収性物品。
【請求項２】
前記ウィングの背折りの折り目位置は、前記ウィングの付け根から０〜５ｍｍであり、前記物品本体の幅方向外側に折り返した前記ウィングの折り目位置は、前記ウィングの外側端から２０〜３０ｍｍであることを特徴とする請求項１に記載の吸収性物品。
【発明の詳細な説明】
【技術分野】
【０００１】
本発明は、ショーツ等の下着の内面に貼着されて使用される生理用ナプキン、パンティーライナー等の吸収性物品に関し、さらに詳細には、下着への装着性が向上されると共に、物品本体を被覆するカバーシートから物品本体をスムーズに剥離して装着することができるようにした吸収性物品に関する。
【背景技術】
【０００２】
従来、このような吸収性物品として、例えば、図５に展開平面図で、図６に図５のＶＩ−ＶＩ概略拡大断面図で示すような生理用ナプキンが知られている。この生理用ナプキン１００は、昼用、夜用等の使用目的により種々の形態のものが知られているが、その基本構成は略同一である。
【０００３】
すなわち、この生理用ナプキン１００は、着用者の身体と接する側より順に透液性を有するトップシート１０１、ティッシュ１０２で全体を被覆された吸収体１０３、不透液性のバックシート１０４によりナプキン本体１０５が形成され、このナプキン本体１０５の幅方向両外側に一対のウィング１０６を備えている。また、ナプキン本体１０５の装着前においては、このナプキン本体１０５の外側、すなわちバックシート１０４の外面に剥離紙１０７が接着剤１０８を介して貼着されている。さらに、剥離紙１０７の外面には、カバーシート１０９が接着剤１１０を介して貼着されている。
【０００４】
このカバーシート１０９は剥離性を有しており、バックシート１０４の外面を保護すると共に、ナプキン本体１０５を個別に包装するために設けられている。このためカバーシート１０９はナプキン本体１０５を包み込むことが出来るように、ナプキン本体１０５より若干大きなサイズに形成されている。
【０００５】
従来、このような生理用ナプキン１００は、図５及び図６に示すように、ウィング１０６がナプキン本体１０５の長手方向に延びる両側縁に沿ってトップシート１０１の上面に折り重ねられた（以下、「腹折り」という）後、図示しない工程においてナプキン本体１０５及びカバーシート１０９がナプキン本体１０５の長手方向に通常三つ折りされ、その端部が止着テープ１１１で止着された形態で市場に提供されている。
【０００６】
しかしながら、このような生理用ナプキン１００では、ウィング１０６を腹折りするため、装着者が実際に装着する際の折り目と逆の折り目１１２がウィング１０６に付けられていた。このため、装着者が生理用ナプキン１００を装着する際には、この折り目１１２を直すためにウィング１０６を外側、つまりバックシート１０４側に折る必要があり、手間と時間がかかっていた。また、この折り目１１２をきちんと直さずに装着すると、ウィング１０６が下着にしっかり固定されず、ナプキン本体１０５が下着からずれる原因となっていた。
【０００７】
これに対し、従来、例えば図７に展開平面図で、図８に図７のＶＩＩＩ−ＶＩＩＩ概略拡大断面図で示すような生理用ナプキンが知られている。この生理用ナプキン１００Ａ（なお、説明の都合上、前記生理用ナプキン１００と対応する構成部品には、以下、対応する番号の後にＡ，Ｂ，Ｃを付して説明する）は、ウィング１０６Ａが、前述した生理用ナプキン１００とは逆の方向、すなわちバックシート１０４Ａ側に折り重ねられて（以下、「背折り」という）いるものである。
【０００８】
この生理用ナプキン１００Ａによれば、ウィング１０６Ａを背折りするため、前述した生理用ナプキン１００の欠点は解消されるが、装着者が装着するためにナプキン本体１０５Ａをカバーシート１０９Ａから剥離したとき、ウィング１０６Ａを背折りしていることに起因して、ナプキン本体１０５Ａの外面の接着剤１０８Ａにウィング１０６Ａが貼着してしまうことがある。このため生理用ナプキン１００Ａを装着するときには、このウィング１０６Ａをナプキン本体１０５Ａからその都度、剥離しなければならず、これには手間と時間がかかると共に、剥離し難いために、装着者に不快感を与えることがあった。また、無理にウィング１０６Ａをナプキン本体１０５Ａから剥離しようとすると、ナプキン本体１０５Ａが破損し、生理用ナプキン１００Ａが使用できなくなるという問題もあった。
【０００９】
一方、従来、例えば特許文献１に記載され、図９に展開平面図で、図１０に図９のＸ−Ｘ概略拡大断面図で示すような生理用ナプキンが知られている。この生理用ナプキン１００Ｂは、まず、ウィング１０６Ｂを腹折りした後、ナプキン本体１０５Ｂの幅方向外側に折り返して成るものである。しかし、この生理用ナプキン１００Ｂは、まず腹折りするため、前述した生理用ナプキン１００と同様、装着者が実際に装着する際の折り目と逆の折り目１１２Ｂがウィング１０６Ｂに付いてしまい、さらに、この生理用ナプキン１００Ｂは、図９及び図１０に示すように、剥離表面と一対になっている付着手段（接着剤）を備えているため、装着者が実際に装着する際には、ウィング１０６Ｂを接着剤１１３Ｂから剥離しなければならず、このため手間と時間がさらにかかるという欠点があった。
【００１０】
なお、図１１に展開平面図で、図１２に図１１のＸＩＩ―ＸＩＩ概略拡大断面図で示すような生理用ナプキンも知られている。この生理用ナプキン１００Ｃは、ウィング１０６Ｃを折り込まない形態のものであるが、このような生理用ナプキン１００Ｃは、ウィング１０６Ｃに折り目が全く付かないため、装着者が装着した際にウィング１０６Ｃが外れ易く、このためナプキン本体１０５Ｃが下着からずれて体液の漏れを生じ、またナプキン本体１０５Ｃの幅が大きくなるので、持ち運びが不便であるという欠点があった。
【特許文献１】特表平１１−５０４５４５号公報
【発明の開示】
【発明が解決しようとする課題】
【００１１】
本発明は、上述したような実情に鑑みてなされたもので、その目的とするところは、下着等への装着性を向上させ、また物品本体がスムーズにカバーシートから剥離することができる吸収性物品を提供することである。
【課題を解決するための手段】
【００１２】
本発明の上記目的は、少なくとも、透液性を有するトップシートと、不透液性を有するバックシートと、前記シート間に介在する吸収体とにより物品本体が形成され、該物品本体の幅方向両外側に一対のウィングを備えた吸収性物品において、該一対のウィングのそれぞれを背折りした後、前記物品本体の幅方向外側に折り返すことによって、前記物品本体の幅方向断面視で略Ｚ字状に形成したことを特徴とする吸収性物品を提供することによって、達成される。
【００１３】
また、本発明の上記目的は、前記ウィングの背折りの折り目位置は、前記ウィングの付け根から０〜５ｍｍであり、前記物品本体の幅方向外側に折り返した前記ウィングの折り目位置は、前記ウィングの外側端から２０〜３０ｍｍであることを特徴とする吸収性物品を提供することによって、効果的に達成される。
【発明の効果】
【００１４】
本発明に係る吸収性物品は、物品本体の幅方向に備えられた一対のウィングが幅方向断面視で略Ｚ字状に形成されているため、装着者が装着する際に装着し易くなり、また装着時に物品本体をカバーシートから剥離し易くなる。また、ウィングを折らない形態の吸収性物品よりもコンパクトに包装することができる。
【発明を実施するための最良の形態】
【００１５】
以下、図面を参照しながら、本発明の最良の形態について詳細に説明する。
【００１６】
図１は、本発明に係る吸収性物品の一例である生理用ナプキンの２００の展開平面図、図２は、図１のＩＩ―ＩＩ概略拡大断面図を示す。なお、本生理用ナプキン２００は、個別包装時におけるウィングの形態を除くその他の構成については、前記生理用ナプキン１００と実質的に同一である。
【００１７】
すなわち、本発明に係る生理用ナプキン２００は、前記従来の生理用ナプキン１００と同様に、着用者の身体と接する側より順に、透液性のトップシート２０１と、ティッシュ等の吸水紙２０２で全体が被覆された吸収体２０３と、不透液性のバックシート２０４とにより、ナプキン本体２０５が形成され、このナプキン本体２０５の下面には、装着時に下着等にナプキン本体２０５を貼着し、固定するための接着剤２０６が塗設され、さらにこの接着剤２０６を装着時まで保護するための剥離紙２０７が貼着されている。
【００１８】
また、このナプキン本体２０５は、一対のウィング２０８，２０８がナプキン本体２０５の幅方向両側部に備えられ、ウィング２０８の下着との装着面には、ナプキン本体２０５を装着する際に、下着等に固定するための接着剤２０９が塗設され、また、この接着剤２０９を装着時まで保護するための剥離紙２１０が貼着されている。この剥離紙２１０の外面には、カバーシート２１１が接着剤２１２を介して貼着されている。
【００１９】
また、ナプキン本体２０５をカバーシート２１１から剥離する際に剥離し易くするために、ナプキン本体２０５に塗設された接着剤２０６を保護するための剥離紙２０７と、ウィング２０８の下着との装着面に塗設された接着剤２０９を保護する剥離紙２１０とが、接着剤２１３を介して貼着されている。
【００２０】
さらにまた、カバーシート２１１上端部には止着テープ２１４が取り付けられている。
【００２１】
ここに、トップシート２０１には、経血やおりもの等の体液（以下、「体液」という）を吸収体へ透過させる透液性のシートであって、肌着に近い感触を有し、きめが細かく繊維密度が高い素材、例えば不織布等、若しくは液透過性や液戻り防止性に優れている素材、例えばポリエチレン又はポリプロピレン等のオレフィン系、又は酢酸ビニル重合体等から成る樹脂フィルム等が好ましく用いられる。
【００２２】
また、吸収体２０３には、解繊ポリマーを主体とした高分子ポリマーを併用したもの、熱可塑性樹脂、あるいはセルロース繊維等が好ましく用いられる。この吸収体２０３はティッシュ等の吸水紙２０２によりその全体が被覆されている。
【００２３】
一方、バックシート２０４には、吸収体２０３に吸収された体液を外に透過させない不透液性のシートであって、透湿性を有する素材、例えばポリエチレンやポリプロピレン等のオレフィン系樹脂に無機充填材を溶融混練したものを、延伸処理した微多孔性シート等が好ましく用いられる。
【００２４】
また、ウィング２０８は、トップシート２０１及びバックシート２０４がナプキン本体２０５の幅方向両側部の延出部においてホットメルト接着剤及びヒートシールにより一体的に接合されて形成されている。なお、ウィング２０８は、バックシート２０４のみ、あるいはトップシート２０１のみで形成することもでき、またトップシート２０１及び／又はバックシート２０４と別体のシート材料で形成することもできる。
【００２５】
なお、カバーシート２１１には、薄くかつ柔軟な素材、例えばポリエチレン、ポリプロピレン、ポリエチレンテレフタレートや不織布等が好ましく用いられる。また。このカバーシート２１１は使用済みのナプキン本体２０５を包装して廃棄する場合にも使用することができる。
【００２６】
本生理用ナプキン２００では、次のような製造工程において、一対のウィング２０８，２０８のそれぞれが折り重ねられる。まず、ナプキン本体２０５の下面、すなわちバックシート２０４の下面に接着剤２０６を介して剥離紙２０７を貼着し、ウィング２０８の下着との貼着面に接着剤２０９を介して剥離紙２１０を貼着する。その後、図２に示すように、まずウィング２０８の側端部が剥離紙２１０と共にバックシート２０４側に背折りされた後、ナプキン本体２０５の幅方向外側に折り返され、ナプキン本体２０５の幅方向断面視で略Ｚ字状となるように折り重ねられている。この時、ウィング２０８の背折りの折り目位置ｄ１をウィング２０８の付け根から０〜５ｍｍとなるようにして折ると、ナプキン本体２０５を下着に貼着し易くなるので好ましい。また、ナプキン本体２０５の幅方向外側に折り返したウィングの折り目位置ｄ２は、ウィング２０８の外側端から２０〜３０ｍｍとなるように折ると、ウィング２０８に塗設される接着剤２０９の塗設面積を十分に確保することができると共に、ナプキン本体２０５の幅が狭くなり、コンパクトに個別包装することができるので好ましい。このようにウィング２０８が折り重ねられたナプキン本体２０５は、このナプキン本体２０５及びカバーシート２１１の長手方向において、３つ折りにされ、カバーシート２１１の折り重ね両側部がヒートシール等により密封され個別に包装された後、端部が止着テープ２１４で止着される。
【００２７】
このように、ナプキン本体２０５の製造時に、最初にウィング２０８を背折りすることによって、折り目２１５が付けられるので、ナプキン本体２０５の下着等への装着性が向上する。その後、背折りされたウィング２０８をさらにナプキン本体２０５の幅方向外側に折り返すことによって、ウィング２０８の下着との装着面に塗設された接着剤２０９が、ナプキン本体２０５の下着との装着面に塗設された接着剤２０６に貼着されることがなくなり、カバーシート２１１からナプキン本体２０５をスムーズに剥離することができる。
【００２８】
また、装着者は、装着するに際し、通常ナプキン本体２０５の長手方向の先端、すなわち図１に示す点Ｐ０を持ってナプキン本体２０５とカバーシート２１１との剥離を開始するが、この時、本生理用ナプキン２００のように、ウィング２０８がナプキン本体２０５の幅方向断面視で略Ｚ字状になるように折り重ねられると、ナプキン本体２０５がウィング２０８の付け根部、すなわち図１に示す点Ｐ１までカバーシート２１１から剥離されると、その後、折り重ねられていたウィング２０８及び剥離紙２１０が身体側に展開されるので、剥離力が分散される。従って、カバーシート２１１からスムーズにナプキン本体２０５を剥離することができるようになり、従来の生理用ナプキン１００のようにウィング２０８の付け根部、すなわち点Ｐ１からナプキン本体２０５が破損することがなくなる。
【００２９】
以上、本発明に係る生理用ナプキン２００の実施形態について説明してきたが、本発明は上述したような実施形態に限定されるものではなく、その構成を以下のように変更することができる。
【００３０】
図３は、本発明の変更例に係る吸収性物品である生理用ナプキン２００Ａの展開平面図で、図４は、図３のＩＶ−ＩＶ概略拡大断面図である。なお、生理用ナプキン２００Ａは、主として個別包装時におけるウィングの形態を除くその他の構成については、前述した生理用ナプキン２００と実質的に同一であるので、以下では生理用ナプキン２００と対応する構成要素には同一番号に符号Ａを付して説明する。
【００３１】
本生理用ナプキン２００Ａは、ウィング２０８Ａの背折りの折り目位置ｄ１が、ウィングの付け根から０ｍｍであり、また、ナプキン本体２０５Ａの幅方向外側に折り返されて、ナプキン本体２０５Ａの幅方向断面視で略Ｚ字状に形成されるように折り重ねられた状態で、ウィング２０８Ａの外側端がナプキン本体２０５Ａの両側部から出ている。本生理用ナプキン２００Ａであっても、前述した生理用ナプキン２００と同様の効果が得られる。
【００３２】
なお、上記実施例及び変更例では、いずれもトップシートと吸収体の間にセカンドシートがなく、また、バックシートと吸収体との間に防水フィルムがなく、さらにトップシート上に立体ギャザ−等を有しない生理用ナプキンについて説明したが、これらを有して成る生理用ナプキンについても適用できる。
【００３３】
また、離型処理したカバーシートを用いると、ナプキン本体の下面に、接着剤を介して貼着されている剥離紙２０７が不要になるので、吸収性物品を低コストで製造することができる。
【産業上の利用可能性】
【００３４】
以上、本発明の内容を、吸収性物品が生理用ナプキンである場合を例に説明したが、本発明はこのような生理用ナプキンに限らず、この他パンティーライナー、失禁者用パッド等の公知のウィングを有する種々の吸収性物品についても適用できる。
【図面の簡単な説明】
【００３５】
【図１】本発明に係る個別包装形態を示す生理用ナプキンの展開平面図である。
【図２】図１のＩＩ−ＩＩ概略拡大断面図である。
【図３】本発明の変更例に係る個別包装形態を示す生理用ナプキンの展開平面図である。
【図４】図３のＩＶ−ＩＶ概略拡大断面図である。
【図５】従来の個別包装形態を示す生理用ナプキンの展開平面図である。
【図６】図５のＶＩ−ＶＩ概略拡大断面図である。
【図７】従来の個別包装形態を示す生理用ナプキンの展開平面図である。
【図８】図７のＶＩＩＩ−ＶＩＩＩ概略拡大断面図である。
【図９】従来の個別包装形態を示す生理用ナプキンの展開平面図である。
【図１０】図９のＸ−Ｘ概略拡大断面図である。
【図１１】従来の個別包装形態を示す生理用ナプキンの展開平面図である。
【図１２】図１１のＸＩＩ−ＸＩＩ概略拡大断面図である。
【符号の説明】
【００３６】
１００，２００，２００Ａ      生理用ナプキン
１０１，２０１，２０１Ａ      トップシート
１０２，２０２，２０２Ａ      吸水紙
１０３，２０３，２０３Ａ      吸収体
１０４，２０４，２０４Ａ      バックシート
１０５，２０５，２０５Ａ      ナプキン本体
１０８，２０６，２０６Ａ      ナプキン本体の下着との装着面に塗設された接着剤
１０７，２０７，２０７Ａ      接着剤２０６を保護するための剥離紙
１０６，２０８，２０８Ａ      ウィング
１１３，２０９，２０９Ａ      ウィングの下着との装着面に塗設された接着剤
２１０，２１０Ａ              接着剤２０９を保護するための剥離紙
１０９，２１１，２１１Ａ      カバーシート
１１０，２１２，２１２Ａ      剥離紙２１０とカバーシートとを貼着する接着剤
２１３，２１３Ａ              剥離紙２０７と剥離紙２１０とを貼着する接着剤
１１１，２１４                止着テープ
２１５，２１５Ａ              背折りの折り目
ｄ１                          ウィングの背折りの折り目位置
ｄ２                          ナプキン本体の幅方向外側に折り返したウィングの折り
目位置
Ｐ０                          剥離開始点
Ｐ１                          ウィングの付け根部
【図１】
2005095379.tif 000003
【図２】
2005095379.tif 000004
【図３】
2005095379.tif 000005
【図４】
2005095379.tif 000006
【図５】
2005095379.tif 000007
【図６】
2005095379.tif 000008
【図７】
2005095379.tif 000009
【図８】
2005095379.tif 000010
【図９】
2005095379.tif 000011
【図１０】
2005095379.tif 000012
【図１１】
2005095379.tif 000013
【図１２】
2005095379.tif 000014